(57)【要約】【課題】大きな動力を必要とせず、しわの発生を防止することができるロール仕上げ機を提供する。【解決手段】本発明は、凹型チェスト５と、搬送路６内に搬送されたリネン品４を凹部２の表面３側へ押圧しながら回転することでリネン品４をプレスする主ロール７と、リネン品４を搬送路６の入り口８まで搬送する搬送機構１１と、を備えたロール仕上げ機１において、搬送路６の入り口８近傍であって主ロール７に近接して配置され、搬送路６の入り口８に搬送されたリネン品４を搬送支持台９側へ押圧する押圧ローラ１２を設けた。【選択図】  図１
2018089286.tif 000002
【特許請求の範囲】
【請求項１】
長尺状で長手方向に対して交差する断面の形状が弧状に形成された凹部の表面上に、洗濯し乾燥した後のリネン品が搬送されこのリネン品を加熱する加熱ベッドと、
前記加熱ベッドの前記凹部内に一方向に回転する状態で配置されて前記凹部の表面側との間に前記リネン品が搬送される搬送路を形成し、この搬送路内に搬送された前記リネン品を前記凹部の表面側へ押圧しながら回転することで前記リネン品をプレスする主ロールと、
前記搬送路の入り口に配置された搬送支持台とこの搬送支持台に巻き掛けられて前記リネン品を前記搬送路の入り口まで搬送する搬送ベルトとを備えた搬送機構と、を有するロール仕上げ機において、
前記搬送路の入り口近傍であって前記主ロールに近接して配置され、前記搬送路の入り口に搬送された前記リネン品を前記搬送支持台側へ押圧する押圧ローラを設けたことを特徴とするロール仕上げ機。
【請求項２】
前記押圧ローラは、前記主ロールと平行に配置されたローラと、このローラを前記搬送支持台側へ押圧する駆動部と、この駆動部と前記ローラの軸方向端部とを連結し前記駆動部の駆動力で揺動し前記ローラを前記搬送支持台側へ移動させる押圧レバーと、を有することを特徴とする請求項１に記載のロール仕上げ機。
【請求項３】
前記ローラは、少なくとも外周表面が弾性を有する材質で形成された押圧外周を有することを特徴とする請求項２に記載のロール仕上げ機。
【請求項４】
前記加熱ベッドは、長尺状で長手方向に対して交差する断面形状が弧状に形成された加熱板と、この加熱板の長手方向の両側部をそれぞれ支持する側板部と、前記加熱板の裏面側に設けられて加熱板を加熱する加熱部とを備えていることを特徴とする請求項１から請求項３のいずれか一項に記載のロール仕上げ機。
【発明の詳細な説明】
【技術分野】
【０００１】
本発明は、ホテル、病院等で使用されたシーツ、包布、タオル等のリネン品を洗濯し乾燥した後に、連続してアイロンを掛けて仕上げるロール仕上げ機に関する。
【背景技術】
【０００２】
ホテル、病院等で使用されたシーツ、包布、タオルといった使用済みの大量のリネン品（洗濯物）は、リネンサプライ工場に回収される。リネンサプライ工場では、回収した使用済みのリネン品を洗濯し乾燥した後に、ロール仕上げ機（ロールアイロナー）によってアイロンを掛けて仕上げられる。リネンサプライ工場にて、洗濯し乾燥した後にアイロンを掛けて仕上げられたリネン品は、ホテル、病院等へ配送される。
【０００３】
リネンサプライ工場では、タオル等は乾燥機によって完全に乾燥される。シーツや包布、枕カバー等のいわゆる平物は、しわを伸ばしてアイロンが掛けられる（アイロニング）。このため、シーツや包布、枕カバー等のいわゆる平物は、少し湿った状態で乾燥機から取り出される。乾燥機から少し湿った状態で取り出されたシーツや包布、枕カバーは、ロール仕上げ機によって「しわ伸ばし」と「仕上げ乾燥」が行われる。
【０００４】
アイロニングを行うロール仕上げ機には、チェスト式とカレンダ式とがある。チェスト式のロール仕上げ機としては、特許文献１、２で提案されている。チェスト式のロール仕上げ機は、加熱された加熱ベッドと、この加熱ベッドにリネン品を押圧しながら回転するロールとを有している。そして、加熱ベッドとロールとの間に搬送された少し湿った状態のシーツや包布、枕カバー等は、ロールによって加熱ベッドへ押圧されながら、ロールの回転により搬送される。これにより、シーツや包布、枕カバー等には、大きな圧迫力（押圧力）が加わるので「しわ伸ばし」され、加熱ベッドにより「仕上げ乾燥」が行われて仕上げられる。
【０００５】
このようなチェスト式のロール仕上げ機では、加熱ベッドとロールからなる複数台の仕上げ機を順番に並べて用いている。リネン品は前段の加熱ベッドとロールとの間から次段の加熱ベッドとロールとの間に順次搬送される。前段のロールの回転数よりも、次段のロールの回転数は速く設定されている。これにより、複数台の加熱ベッドとロールの間を順番に搬送されるリネン品にはテンション（張力）が付与されるので、搬送中でのしわの発生が防止されている。このように、搬送中にリネン品にしわが発生しないようにテンション（張力）を付与する必要があるので、一般的にロール仕上げ機は、加熱ベッドとロールからなる複数台の仕上げ機を必要としていた。
【先行技術文献】
【特許文献】
【０００６】
【特許文献１】特開２００６−３４６１７号公報
【特許文献２】特開平８−１０７９９５号公報
【発明の概要】
【発明が解決しようとする課題】
【０００７】
ところが、複数台の仕上げ機を用いる場合、複数本のロールを回転駆動するための大きな動力を必要とし、ロール仕上げ機自体も大型化する。
【０００８】
また、洗濯物を加熱ベッドとロールとの間に搬送する場合、リネン品の後端側にはしわが発生し易く、しわの寄ったまま加熱ベッドとロールとの間に搬送されてしまうおそれがある。
【０００９】
そこで、本発明は、大きな動力を必要とせず、しわの発生を防止することができるロール仕上げ機の提供を目的とする。
【課題を解決するための手段】
【００１０】
上記課題を解決するための本発明の一態様は、長尺状で長手方向に対して交差する断面の形状が弧状に形成された凹部の表面上に、洗濯し乾燥した後のリネン品が搬送されこのリネン品を加熱する加熱ベッドと、前記加熱ベッドの前記凹部内に一方向に回転する状態で配置されて前記凹部の表面側との間に前記リネン品が搬送される搬送路を形成し、この搬送路内に搬送された前記リネン品を前記凹部の表面側へ押圧しながら回転することで前記リネン品をプレスする主ロールと、前記搬送路の入り口に配置された搬送支持台とこの搬送支持台に巻き掛けられて前記リネン品を前記搬送路の入り口まで搬送する搬送ベルトとを備えた搬送機構と、を有するロール仕上げ機において、前記搬送路の入り口近傍であって前記主ロールに近接して配置され、前記搬送路の入り口に搬送された前記リネン品を前記搬送支持台側へ押圧する押圧ローラを設けたことを特徴とする。
【００１１】
また、本発明の一態様としては、前記押圧ローラは、前記主ロールと平行に配置されたローラと、このローラを前記搬送支持台側へ押圧する駆動部と、この駆動部と前記ローラの軸方向端部とを連結し前記駆動部の駆動力で揺動し前記ローラを前記搬送支持台側へ移動させる押圧レバーと、を有することが好ましい。
【００１２】
また、本発明の一態様としては、前記ローラは、少なくとも外周表面が弾性を有する材質で形成された押圧外周を有することが好ましい。
【００１３】
また、本発明の一態様としては、前記加熱ベッドは、長尺状で長手方向に対して交差する断面形状が弧状に形成された加熱板と、この加熱板の長手方向の両側部をそれぞれ支持する側板部と、前記加熱ベッドの裏面側に設けられて加熱板を加熱する加熱部とを備えていることが好ましい。
【発明の効果】
【００１４】
本発明によれば、リネン品の搬送路の入り口近傍であって主ロールに近接して、リネン品を搬送支持台側へ押圧する押圧ローラを設けている。このため、リネン品にテンションを付与した状態で主ロールと加熱ベッドとの間にリネン品をネン品を搬送できる。特にリネン品の後端部でのしわの発生を防止することができる。また、搬送路内でリネン品を搬送させる場合、押圧ローラによってリネン品に常にテンションが付与される。このため、複数本の主ロールを用いてリネン品にテンションを付与する必要がない。これにより、主ロールの本数を低減することが可能となる。従って、主ロールを回転駆動するための大きな動力を必要としない。
【図面の簡単な説明】
【００１５】
【図１】本発明の実施の形態に係るロール仕上げ機を示す概略説明図。
【図２】本発明の実施の形態に係るロール仕上げ機の一部を拡大した説明図。
【図３】本発明の実施の形態に係るロール仕上げ機を示し、図４の矢視Ａから見た斜視図。
【図４】本発明の実施の形態に係るロール仕上げ機を示す斜視図。
【発明を実施するための形態】
【００１６】
以下、本発明に係るロール仕上げ機の実施の形態について説明する。本実施の形態のロール仕上げ機１は、いわゆるチェスト式のロールアイロナーである。本実施の形態のロール仕上げ機１は、ホテル、病院等で使用されたシーツ、包布、枕カバー等の平物のリネン品のしわを伸ばし、乾燥させてアイロニングを行う。
【００１７】
〔本実施の形態のロール仕上げ機の特徴〕
本実施の形態のロール仕上げ機１は、長尺状で長手方向に対して交差する断面の形状が弧状に形成された凹部２の表面３上に、洗濯し乾燥した後のリネン品４が搬送され、このリネン品４を加熱する加熱ベッド５を有している。また、ロール仕上げ機１は、加熱ベッド５の凹部２内に一方向に回転する状態で配置されて凹部２の表面３側との間にリネン品４が搬送される搬送路６を形成し、この搬送路６内に搬送されたリネン品４を凹部２の表面３側へ押圧しながら回転することでリネン品４をプレスする主ロール７を有している。また、ロール仕上げ機１は、搬送路６の入り口８に配置された搬送支持台９とこの搬送支持台９に巻き掛けられてリネン品４を搬送路６の入り口８まで搬送する搬送ベルト１０とを備えた搬送機構１１を有している。
【００１８】
そして、本実施の形態のロール仕上げ機１は、搬送路６の入り口８近傍であって主ロール７に近接して配置され搬送路６の入り口８に搬送されたリネン品４を搬送支持台９側へ押圧する押圧ローラ１２が設けられている。以下、本実施の形態のロール仕上げ機１の加熱ベッド５、主ロール７、搬送機構１１、押圧ローラ１２について説明する。
【００１９】
〔加熱ベッド〕
図１〜図４に示すように、加熱ベッド５は、加熱板１３と、この加熱板１３を支持する側板部１４、１４と、加熱板１３を加熱する加熱部１５とを備えている。加熱板１３は、長尺状で長手方向Ａに対して直交する断面形状が弧状に形成され、凹部２が形成されている。この凹部２は、主ロール７の約半周が収納される半円弧状に形成されている。加熱板１３は、弧状の凹部２を上方に向けて、すなわち、表面３を上方に向けて配置され、長手方向Ａの両側部が側板部１４、１４に支持されている。
【００２０】
加熱板１３の裏面１６には、加熱部１５が設けられている。加熱部１５は、断面が山形形状の複数の通路形成部材２８を裏面１６に固定して形成されている。複数の通路形成部材２８は、その開口部分が加熱板１３の裏面１６にそれぞれ対向して、裏面１６に密着状態で取り付けられている。裏面１６と各通路形成部材２８とで囲まれた内部に複数の通路１７がそれぞれ形成されている。これらの複数の通路１７は、隣り合う通路１７同士が連通されている。そして、複数の通路１７には、高温の蒸気が供給され、複数の通路１７内を高温の蒸気が通過することで、高温の蒸気の熱が加熱板１３の裏面１６側に伝達される。これにより、加熱板１３の表面が高温に加熱される。高温の加熱板１３の凹部２の表面３上を、リネン品が主ロール７によって押圧されながら搬送される。
【００２１】
〔主ロール〕
主ロール７は、筒状のロール本体１８と、このロール本体１８の外周面に設けられた押圧外周１９とからなる。この押圧外周１９は、フェルト状のパッドが巻き付けられて形成されている。フェルト状のパッドによりリネン品４が加熱板１３の凹部２の表面３側へ押圧される。主ロール７のロール本体１８には、長手方向Ａの両側に回転軸（不図示）が設けられている。これらの回転軸は、主ロール７の軸方向の両側に設けられた支持側部３０、３０に回転可能に支持されている。
【００２２】
一方の支持側部３０内には、主ロール７を一方向に回転駆動する回転駆動部（不図示）が内蔵されている。主ロール７は、回転駆動部からの駆動力により、一方向（リネン品４を搬送する搬送方向）に回転駆動する。主ロール７は、加熱板１３の凹部２の表面３との間に、リネン品４が搬送される搬送路６を形成する。この搬送路６内に搬送機構１１によって搬送されたリネン品４が入り口８から挿入される。
【００２３】
〔搬送機構］
【００２４】
搬送機構１１は、搬送支持台９と、搬送ベルト１０と、駆動ローラ２０とで構成されている。搬送支持台９は、搬送路６の入り口８に近接して配置されている。この搬送支持台９には、搬送ベルト１０が巻き掛けられている。搬送ベルト１０は、短冊状の複数本の短冊ベルトによって構成されている。これらの複数本の短冊ベルトが駆動ローラ２０にそれぞれ巻き掛けられて搬送ベルト１０を形成している。そして、搬送ベルト１０は、駆動ローラ２０が回転駆動することで移動する。搬送ベルト１０が移動することで、搬送ベルト１０上に載置されているリネン品４が入り口８から表面３と主ロール７の押圧外周１９との間に搬送される。また、入り口８近傍へと搬送されたリネン品４は、押圧ローラ１２によって搬送支持台９側へ押圧される。
【００２５】
〔押圧ローラ〕
押圧ローラ１２は、主ロール７と平行に配置されたローラ２１と、このローラ２１を搬送支持台９側へ押圧する駆動部２２とで形成されている。ローラ２１は、少なくとも外周表面が弾性を有する材質、例えばゴムもしくはスポンジによって形成されている。このローラ２１は、支持側部３０、３０にそれぞれ設けられた駆動部２２、２２（図面では一方の駆動部２２のみ図示）によって搬送支持台９に対して接離する。
【００２６】
支持側部３０、３０にそれぞれ設けられた駆動部２２、２２は、同構成なので、ここでは一方の駆動部２２について説明する。図２に示すように、駆動部２２は、エアシリンダ２５と、押圧レバー２３とで形成されている。エアシリンダ２５は、後端部２４が支持側部３０に回動自在に支持されている。押圧レバー２３は、エアシリンダ２５の駆動軸２６の端末２６ａに一端が回動自在に連結されている。また、押圧レバー２３の他端は支持側部３０に支持された支持軸２７に回動自在に支持されている。同様に、他方の駆動部２２も形成されている。駆動部２２、２２の押圧レバー２３、２３は、ローラ２１の軸方向の両端に設けた支軸２１ａ、２１ａを回動自在に支持している。
【００２７】
そして、エアシリンダ２５の駆動軸２６がシリンダ内に引き込まれた状態（図２において二点鎖線で示す状態）から、駆動軸２６がシリンダ外部に突出すると、押圧レバー２３が支持軸２７を中心に揺動する。押圧レバー２３が揺動すると、ローラ２１が搬送支持台９から離間した位置から搬送支持台９側に移動する。駆動軸２６がシリンダから完全に突出した状態（図２において実線で示す状態）では、ローラ２１は、搬送ベルト１０上のリネン品４を搬送支持台９上に押圧する。
【００２８】
次に、上記ロール仕上げ機１にリネン品４を搬送する搬送動作について説明する。搬送ベルト１０上に載置されたリネン品４は、搬送ベルト１０の移動により搬送支持台９上に搬送された後に、搬送路６の入り口８に送られる。その後、搬送路６の入り口８に送られたリネン品４の先端部分（搬送方向の先端側端部）が入り口８から搬送路６内に挿入される。すなわち、リネン品４の先端部分は、主ロール７の押圧外周１９と加熱板１３の凹部２の表面３との間に挿入される。
【００２９】
そして、主ロール７は、加熱板１３の表面３へリネン品４を押し付けながら回転する。主ロール７が、リネン品４を加熱板１３の表面３へ押し付けながら回転すると、リネン品４は搬送路６内に引き込まれる。リネン品４の先端部が搬送路６内に引き込まれると、エアシリンダ２５の駆動軸２６がシリンダ内から突出して押圧レバー２３を揺動させ、押圧ローラ１２を搬送支持台９側へ移動させる。
【００３０】
これによりリネン品４が搬送支持台９上へ押圧される。リネン品４が搬送支持台９上へ押圧されると、リネン品４の先端部が主ロール７の回転により搬送路６中を、押圧されながら摺接しつつ搬送される。これにより、押圧ローラ１２と搬送路６の入り口８との間でリネン品４には、テンションが付与される。テンションが付与された状態でリネン品４は搬送路６内に挿入され、主ロール７によって表面３側へ押圧されながら摺接しつつ搬送される。主ロール７によって表面３側へ押圧されながら摺接されることでリネン品４のしわが伸ばされアイロニングされる。
【００３１】
以上説明したように、本実施の形態のロール仕上げ機１では、リネン品４の搬送路６の入り口８近傍であって主ロール７に近接して、リネン品４を搬送支持台９側へ押圧する押圧ローラ１２が設けられている。このため、リネン品４にテンションを付与した状態で主ロール７と凹型チェスト５との間に搬送できる。特にリネン品４の後端部でのしわの発生を防止することができる。
【００３２】
また、本実施の形態のロール仕上げ機１では、搬送路６内にリネン品４を搬送させる場合、押圧ローラ１２によってリネン品４に常にテンションが付与される。この結果、複数本の主ロール７を用いてリネン品４にテンションを付与する必要がないので、主ロール７の本数を低減することが可能となる。従って、主ロール７を回転駆動するための大きな動力を必要としない。また、大きな動力を必要としないので、ロール仕上げ機自体を小型化することができる。また、大きな動力を必要としないので、主ロール７を回転駆動させるモータが消費する電力を低減することができる。さらに、前段と次段のロールの回転速度を調整する必要がないので、ロールを回転駆動させるモータの回転数の調整が不要になる。
【００３３】
なお、上記実施の形態では、チェスト式のロール仕上げ機に本発明を適用した例を示したが、カレンダ式のロール仕上げ機にも適用することができる。また、上記実施の形態では、押圧ローラ１２は、１本のローラを長手方向Ａに沿って配置した例を示したが、押圧ローラは、２本以上設けても良く、長手方向Ａに沿って、分割した複数のローラを長手方向Ａに沿って配置しても良い。さらに、上記実施の形態では、駆動部２２としてエアシリンダ２５を用いて押圧ローラ１２を搬送支持台９に対して接離させている例について説明したが、押圧ローラ１２を搬送支持台９に対して接離させる駆動部は他の手段でも良い。
【００３４】
上述の通り、本発明の実施の形態を開示したが、当業者によっては本発明の範囲を逸脱することなく変更が加えられうることは明白である。すべてのこのような修正及び等価物が次の請求項に含まれることが意図されている。
【産業上の利用可能性】
【００３５】
本発明は、チェスト式のロール仕上げ機の他に、カレンダ式のロール仕上げ機にも利用することができ、いわゆる平物と呼ばれるシーツや、包布、枕カバー等を張力を付与した状態で搬送する装置に利用可能である。
【符号の説明】
【００３６】
１  ロール仕上げ機    
２  凹部
３  表面
４  リネン品
５  加熱ベッド
６  搬送路
７  主ロール
８  入り口
９  搬送支持台
１０  搬送ベルト
１１  搬送機構
１２  押圧ローラ
１３  加熱板
１９  押圧外周
【図１】
2018089286.tif 000003
【図２】
2018089286.tif 000004
【図３】
2018089286.tif 000005
【図４】
2018089286.tif 000006
【手続補正書】
【提出日】平成29年12月25日(2017.12.25)
【手続補正１】
【補正対象書類名】明細書
【補正対象項目名】００１０
【補正方法】変更
【補正の内容】
【００１０】
上記課題を解決するための本発明の一態様は、長尺状で長手方向に対して交差する断面の形状が弧状に形成された凹部の表面上に、洗濯し乾燥した後のリネン品が搬送されこのリネン品を加熱する加熱ベッドと、前記加熱ベッドの前記凹部内に一方向に回転する状態で配置されて前記凹部の表面側との間に前記リネン品が搬送される搬送路を形成し、この搬送路内に搬送された前記リネン品を前記凹部の表面側へ押圧しながら回転することで前記リネン品をプレスする主ロールと、前記搬送路の入り口に配置された搬送支持台とこの搬送支持台に巻き掛けられて前記リネン品を前記搬送路の入り口まで搬送する搬送ベルトとを備えた搬送機構と、を有するロール仕上げ機において、前記搬送路の入り口近傍であって前記主ロールに近接して配置され、前記搬送路の入り口に搬送された前記リネン品を前記搬送支持台側へ押圧する押圧ローラを設け、前記押圧ローラは、前記主ロールと平行に配置された長尺状のローラと、このローラを前記搬送支持台側へ押圧する駆動部と、この駆動部と前記ローラの軸方向端部とを連結し前記駆動部の駆動力で揺動し前記ローラを前記搬送支持台側へ移動させる押圧レバーと、を有することを特徴とする。
【手続補正２】
【補正対象書類名】明細書
【補正対象項目名】００１１
【補正方法】削除
【補正の内容】
【手続補正３】
【補正対象書類名】特許請求の範囲
【補正対象項目名】全文
【補正方法】変更
【補正の内容】
【特許請求の範囲】
【請求項１】
長尺状で長手方向に対して交差する断面の形状が弧状に形成された凹部の表面上に、洗濯し乾燥した後のリネン品が搬送されこのリネン品を加熱する加熱ベッドと、
前記加熱ベッドの前記凹部内に一方向に回転する状態で配置されて前記凹部の表面側との間に前記リネン品が搬送される搬送路を形成し、この搬送路内に搬送された前記リネン品を前記凹部の表面側へ押圧しながら回転することで前記リネン品をプレスする主ロールと、
前記搬送路の入り口に配置された搬送支持台とこの搬送支持台に巻き掛けられて前記リネン品を前記搬送路の入り口まで搬送する搬送ベルトとを備えた搬送機構と、を有するロール仕上げ機において、
前記搬送路の入り口近傍であって前記主ロールに近接して配置され、前記搬送路の入り口に搬送された前記リネン品を前記搬送支持台側へ押圧する押圧ローラを設け、
前記押圧ローラは、前記主ロールと平行に配置された長尺状のローラと、このローラを前記搬送支持台側へ押圧する駆動部と、この駆動部と前記ローラの軸方向端部とを連結し前記駆動部の駆動力で揺動し前記ローラを前記搬送支持台側へ移動させる押圧レバーと、を有することを特徴とするロール仕上げ機。
【請求項２】
前記ローラは、少なくとも外周表面が弾性を有する材質で形成された押圧外周を有することを特徴とする請求項１に記載のロール仕上げ機。
【請求項３】
前記加熱ベッドは、長尺状で長手方向に対して交差する断面形状が弧状に形成された加熱板と、この加熱板の長手方向の両側部をそれぞれ支持する側板部と、前記加熱板の裏面側に設けられて加熱板を加熱する加熱部とを備えていることを特徴とする請求項１または請求項２に記載のロール仕上げ機。